(57)【要約】      （修正有）【課題】入力の結果を表示する表示パネルを選択した項目の辺りに表示して、使用者の視線の移動を最小化することができるディスプレー装置及びその制御方法を提供する。【解決手段】ディスプレー装置は、映像信号を処理する映像処理部と、前記処理された映像信号を映像に表示するディスプレー部と、使用者の入力を受信する使用者の入力部と、前記ディスプレー部に使用者が選択できる複数の項目を表示して、前記使用者の入力部から前記複数の項目の中第１項目を選択する使用者の入力を受信すると、前記入力の結果を表示する表示パネルが前記第１項目の辺りに表示されて、前記使用者の入力部から前記第１項目と他の第２項目を選択する使用者の入力を受信すると、前記表示パネルが前記第２項目の辺りに移動して表示されるように前記ディスプレー部を制御する制御部を含む。【選択図】図１
2013143140.tif 000002
【特許請求の範囲】
【請求項１】
映像信号を処理する映像処理部と；
前記処理された映像信号を映像に表示するディスプレー部と；
使用者の入力を受信する使用者の入力部と；
前記ディスプレー部に使用者が選択できる複数の項目を表示して、前記使用者の入力部から前記複数の項目の中第１項目を選択する第１使用者の入力を受信すると、前記第１使用者入力の入力結果を表示する表示パネルが前記第１項目の辺りに表示されて、前記使用者の入力部から前記第１項目と他の第２項目を選択する第２使用者の入力を受信すると、前記表示パネルが前記第２項目の辺りに移動して表示されるように前記ディスプレー部を制御する制御部を含むことを特徴とするディスプレー装置。
【請求項２】
前記移動された表示パネルには前記第１項目及び前記第２項目が組合された結果が表示されることを特徴とする請求項１に記載のディスプレー装置。
【請求項３】
前記請求項は、前記複数の項目の中で選択された項目を強調して表示するように前記ディスプレー部を制御することを特徴とする請求項１に記載のディスプレー装置。
【請求項４】
前記制御部は、前記第１項目の選択に対応して前記第１項目を強調して表示し、前記第２項目の選択に対応して前記第１項目は強調して表示せずに前記第２項目を強調して表示するように前記ディスプレー部を制御することを特徴とする請求項３に記載のディスプレー装置。
【請求項５】
前記使用者の入力部は所定の入力装置から前記使用者の入力に対応する信号を受信する通信モジュールを含むことを特徴とする請求項１に記載のディスプレー装置。
【請求項６】
前記複数の項目は前記ディスプレー部の画面の外側に表示されることを特徴とする請求項１乃至請求項５のいずれか一項に記載のディスプレー装置。
【請求項７】
前記複数の項目は前記ディスプレー部の画面の外側に横型と、縦型の中少なくとも一つに表示されることを特徴とする請求６に記載のディスプレー装置。
【請求項８】
前記複数の項目は前記ディスプレー部の画面に円型又はグリッド型に配列されることを特徴とする請求項１乃至請求項５のいずれか一項に記載のディスプレー装置。
【請求項９】
前記複数の項目は数字、文字、アイコンの中少なくとも一つを含むことを特徴とする請求項１乃至請求項５のいずれか一項に記載のディスプレー装置。
【請求項１０】
使用者が選択できる複数の項目を表示する段階と；
前記複数の項目の中第１項目を選択する第１使用者の入力を受信する段階と；
前記第１使用者入力の入力結果を表示する表示パネルを前記第１項目の辺りに表示する段階と；
前記第１項目と他の第２項目を選択する第２使用者の入力を受信する段階と；
前記表示パネルを前記第２項目の辺りに移動して表示する段階を含むことを特徴とするディスプレー装置の制御方法。
【請求項１１】
前記第２項目の辺りに移動して表示する段階は、前記表示パネルに前記第１項目及び前記第２項目が組合された結果を表示することを特徴とする請求項１０に記載のディスプレー装置の制御方法。
【請求項１２】
前記複数の項目の中で選択された項目を強調して表示する段階を更に含むことを特徴とする請求項１０に記載のディスプレー装置の制御方法。
【請求項１３】
前記選択された項目を強調して表示する段階は、
前記第１項目の選択に対応して前記第１項目を強調して表示する段階と；
前記第２項目の選択に対応して前記第１項目は強調して表示せずに、前記第２項目を強調して表示する段階を含むことを特徴とする請求項１２に記載のディスプレー装置の制御方法。
【請求項１４】
前記複数の項目は前記ディスプレー装置の画面の外側に表示されることを特徴とする請求項１０乃至請求項１３のいずれか一項に記載のディスプレー装置の制御方法。
【請求項１５】
前記複数の項目を表示する段階は、前記複数の項目を前記ディスプレー装置の画面の外側に横型と、縦型の中少なくとも一つに表示することを特徴とする請求項１０乃至請求項１３のいずれか一項に記載のディスプレー装置のせ制御方法。
【発明の詳細な説明】
【技術分野】
【０００１】
本発明は、ディスプレー装置及びその制御方法に関するものとして、より詳しくは使用者の入力結果を表示するディスプレー装置及びその制御方法に関するものである。
【背景技術】
【０００２】
ＴＶのようなディスプレー装置は、外部の多様な映像供給源から転送されたり又は自体的に貯蔵されている映像信号/映像データを処理して、ディスプレーパネル上に映像で表示する。一般の使用者に提供されるディスプレー装置の具現の例示としてはＴＶ又はモニターなどがあって、例えばＴＶに具現されたディスプレー装置は外部から受信される放送信号をデコーディング、スケーリングなどのような多様な映像処理プロセスを通じて使用者が求める放送チャンネルの映像に提供する。
【発明の概要】
【発明が解決しようとする課題】
【０００３】
前記のような従来技術によれば,ディスプレー装置は画面のチャンネル番号のように使用者が選択できる複数の項目をＵＩに表示することができる。使用者はリモートコントロールのような使用者の入力部を操作して表示された項目の中一つを選択して、ディスプレー装置は使用者が選択した項目を表示する表示パネルを通じて使用者にこれをフィードバックすることができる。しかし、このような表示パネルと選択項目の位置が互いに分離離隔されて表示される場合、使用者の視線を分散させる不便を齎すことがある。
【課題を解決するための手段】
【０００４】
本発明の実施例によるディスプレー装置は、映像信号を処理する映像処理部と；前記処理された映像信号を映像に表示するディスプレー部と；使用者の入力を受信する使用者の入力部と；前記ディスプレー部に使用者が選択できる複数の項目を表示して、前記使用者の入力部から前記複数の項目の中第１項目を選択する使用者の入力を受信すると、前記入力の結果を表示する表示パネルが前記第１項目の辺りに表示されて、前記使用者の入力部から前記第１項目と他の第２項目を選択する使用者の入力を受信すると、前記の表示パネルが前記第２項目の辺りに移動して表示されるように前記ディスプレー部を制御する制御部を含む。
【０００５】
前記表示パネルには前記第１項目及び前記第二項目が組合された結果が表示されることができる。前記の制御部は、前記複数の項目の中で選択された項目を強調して表示するように前記ディスプレー部を制御することができる。前記制御部は、前記第１項目の選択に対応して前記第１項目を強調して表示し、前記第２項目の選択に対応して前記第１項目は強調して表示せずに前記第２項目を強調して表示するように前記ディスプレー部を制御することができる。
【０００６】
前記使用者の入力部は所定の入力装置から使用者の入力に対応する信号を受信する通信モジュールを含むことができる。
【０００７】
前記複数の項目は前記ディスプレー部の画面の外側に表示されることができる。前記複数の項目は前記画面の外側に横型と、縦型の中少なくとも一つに表示されることができる。前記複数の項目は前記ディスプレー部の画面に円型又はグリッド型に配列されることができる。前記複数の項目は数字、文字、アイコンの中少なくとも一つを含むことができる。
【０００８】
一方、本発明の実施例による、ディスプレー装置の制御方法は、使用者が選択できる複数の項目を表示する段階と；前記複数の項目の中第１項目を選択する使用者の入力を受信する段階と；前記入力の結果を表示する表示パネルを前記第１項目の辺りに表示する段階と；前記第１項目と他の第２項目を選択する使用者の入力を受信する段階と；前記表示パネルを前記第２項目の辺りに移動して表示する段階を含む。
【０００９】
前記第２項目の辺りに移動して表示する段階は、前記表示パネルに前記第１項目及び前記第２項目が組合された結果を表示することができる。
【００１０】
前記複数の項目の中で選択された項目を強調して表示する段階を更に含むことができる。前記選択された項目を強調して表示する段階は、前記第１項目の選択に対応して前記第１項目を強調して表示する段階と；前記第２項目の選択に対応して前記第１項目は強調して表示せずに、前記第２項目を強調して表示する段階を含むことができる。
【００１１】
前記使用者の入力を受信する段階は、所定の入力装置から使用者の入力に対応する信号を受信する段階を含む。前記複数の項目は前記ディスプレー装置の画面の外側に表示されることができる。前記複数の項目を表示する段階は、前記複数の項目を前記ディスプレー装置の画面の外側に横型と、縦型の中少なくとも一つに表示することができる。
【００１２】
前記複数の項目を表示する段階は、前記複数の項目を前記ディスプレー装置の画面に円型又はグリッド型に配列することができる。前記複数の項目を表示する段階で、前記複数の項目は数字、文字、アイコンの中少なくとも一つを含むことができる。
【発明の効果】
【００１３】
このように、入力の結果を表示する表示パネルが使用者が選択した項目の辺りに表示されるようにして、使用者の選択の項目が変更されると変更された選択の項目の辺りへ表示パネルを移動させ表示して、入力の結果を組合して表示することで、使用者の視線の分散を最小化して、使用者の使用性及び便宜性が向上させることができる。又、このような強調表示のためのフォーカスを使用者の選択によって移動して表示することで、使用者が現在選択された項目が何か楽に認知するようにできる。
【図面の簡単な説明】
【００１４】
【図１】本発明の実施例によるディスプレー装置の構成を図示したブロック図である。
【図２】図１のディスプレー装置でディスプレー部に表示される画面を図示した図である。
【図３】図１のディスプレー装置でディスプレー部に表示される画面を図示した図である。
【図４】図１のディスプレー装置でディスプレー部に表示される画面を図示した図である。
【図５】図１のディスプレー装置でディスプレー部に表示される画面を図示した図である。
【図６】図１のディスプレー装置でディスプレー部に表示される画面を図示した図である。
【図７】図１のディスプレー装置でディスプレー部に表示される画面を図示した図である。
【図８】本発明の実施例によるディスプレー装置の制御方法を図示した流れ図である。
【発明を実施するための形態】
【００１５】
以下、添付図面を参照して、本発明の好ましい実施例に対して詳細に説明する。
【００１６】
図１は本発明の実施例によるディスプレー装置１００の構成を図示したブロック図である。図１に図示されたように、ディスプレー装置１００は外部の映像供給源（図示せず）から提供される映像信号を既設定された映像処理のプロセスに従って処理し映像に表示する。
【００１７】
本実施例でディスプレー装置１００は放送局の送出装備から受信される放送信号/放送情報/放送データに基づいた放送映像を表示するＴＶに具現される場合に関して説明する。しかし、本発明の思想がディスプレー装置１００の具現例示に限定されないところ、ディスプレー装置１００はＴＶ以外にも映像を表示できる多様な種類の具現の例示が適用されることができて、例えばディスプレー装置１００はモニターを含む。
【００１８】
又、ディスプレー装置１００は表示できる映像の種類が放送映像に限定されないところ、例えばディスプレー装置１００は多様な形式の映像供給源（図示せず）から受信される信号?データに基づいた動画、停止映像、アプリケーション（ａｐｐｌｉｃａｔｉｏｎ）,ＯＳＤ(ｏｎ−ｓｃｒｅｅｎ  ｄｉｓｐｌａｙ),多様な動作の制御のためのＧＵＩ（ｇｒａｐｈｉｃ  ｕｓｅｒ  ｉｎｔｅｒｆａｃｅ）などの映像を表示することができる。
【００１９】
図１に図示されたように、ディスプレー装置１００は映像信号を受信する映像受信部１１０と、映像受信部１１０に受信される映像信号を処理する映像処理部１２０と、映像処理部１２０によって処理される映像信号を映像に表示するディスプレー部１３０と、使用者の入力を受信する使用者の入力部１４０と、各種のデータが貯蔵される貯蔵部１５０と、ディスプレー装置１００を制御する制御部１６０を含む。
【００２０】
映像受信部１１０は映像信号を受信して映像処理部１２０に伝達して、受信する映像信号の規格及びディスプレー装置１００の具現の形態に対応して多様な方式に具現されることができる。例えば映像受信部１１０は放送局（図示せず）から送出されるＲＦ（ｒａｄｉｏ  ｆｒｅｑｕｅｎｃｙ）信号を無線で受信したり、コンポジット(ｃｏｍｐｏｓｉｔｅ)ビデオ、コンポーネット(ｃｏｍｐｏｎｅｎｔ)ビデオ、スーパービデオ(ｓｕｐｅｒ  ｖｉｄｅｏ),ＳＣＡＲＴ(Ｓｙｎｄｉｃａｔ  ｄｅｓ  Ｃｏｎｓｔｕｃｔｅｕｒｓ  ｄ‘ＡｐｐａｒｅｉｌｓＲａｄｉｏｒｅｃｅｐｔｅｕｒｓ  ｅｔ  Ｔｅｌｅｖｉｓｅｕｒｓ)，ＨＤＭＩ(ｈｉｇｈ  ｄｅｆｉｎｉｔｉｏｎ  ｍｕｌｔｉｍｅｄｉａ  ｉｎｔｅｒｆａｃｅ)規格などによる映像信号を有線で受信することができる。映像信号部１１０は映像信号が放送信号が放送信号である場合、この放送信号をチャンネル別にチューニングするチューナー（ｔｕｎｅｒ）を含む。
【００２１】
又、映像信号は外部機器から入力されることができて、例え、映像信号はＰＣ（ｐｅｒｓｏｎａｌ  ｃｏｍｐｕｔｅｒ），ＡＶ（ａｕｄｉｏ／ｖｉｄｅｏ）機器、デジタルカメラ、スマート携帯、スマートパッドなとのような外部機器から入力されることができる。又、映像信号はインタネットのようなネットワークを通じて受信されるデータから起因したことである。この場合、ディスプレー装置１００は、図示されないが、ネットワークを通じて通信を遂行するネットワークの通信部を更に含むことができる。又、映像信号はフラッシュメモリー、ハードディスクのような持久記憶装置部１５０に貯蔵されたデータから起因したものである。貯蔵部１５０は、ディスプレー装置１００の内部又は外部に設けられることができて、外部に設けられる場合貯蔵部１５０が連結される連結部（図示せず）を更に含むことができる。
【００２２】
映像処理部１２０は映像信号に対して既設定された多様な映像処理のプロセスを遂行する。映像処理部１２０はこのようなプロセスを遂行した映像信号をディスプレー部１３０に出力することで、ディスプレー部１３０に映像が表示されるようにする。
【００２３】
映像処理部１２０が遂行する映像処理プロセスの種類は検定されないで、例えば多様な映像フォーマットに対応するデコーディング（ｄｅｃｏｄｉｎｇ）デインタレーシング（ｄｅ−ｉｎｔｅｒｌａｃｉｎｇ）フレームリフレッシュレート（ｆｒａｍｅ  ｒｅｆｒｅｓｈ  ｒａｔｅ）変換、スケーリング（ｓｃａｌｉｎｇ），映像画質の改選のためのノイズ減少（ｎｏｉｓｅ  ｒｅｄｕｃｔｉｏｎ）ディテール強化（ｄｅｔａｉｌ  ｅｎｈａｎｃｅｍｅｎｔ），ラインスキャニング（ｌｉｎｅ  ｓｃａｎｎｉｎｇ）などを含むことができる。映像処理部１２０はこのような各プロセスを独自的に遂行することができる個別的構成のグループに具現されたり、又は様々な機能を統合させたＳｏＣ（ｓｙｓｔｅｍ−ｏｎ−ｃｈｉｐ）に具現されることができる。
【００２４】
ディスプレー部１３０は映像処理部１２０によって処理される映像信号に基づいて映像を表示する。ディスプレー部１３０の具現方式は限定されないで、例え液晶（ｌｉｑｕｉｄ  ｃｒｙｓｔａｌ）プラズマ（ｐｌａｓｍａ）ルミネセンスダイオード（ｌｉｇｈｔ−ｅｍｉｔｔｉｎｇ  ｄｉｏｄｅ）有機発光ダイオード（ｏｒｇａｎｉｃ  ｌｉｇｈｔ−ｅｍｉｔｔｉｎｇ  ｄｉｏｄｅ）表面伝導型電子放出素子（ｓｕｒｆａｃｅ−ｃｏｎｄｕｃｔｉｏｎ  ｅｌｅｃｔｒｏｎ−ｅｍｉｔｔｅｒ），カーボンナノチューブ（ｃａｒｂｏｎ  ｎａｎｏ−ｔｕｂｅ），ナノ液晶（ｎａｎｏ−ｃｒｙｓｔａｌ）などの多様なディスプレー方式に具現されることができる。
【００２５】
ディスプレー部１３０はその具現方式によって付加的な構成を追加に含むことができる。例えば、ディスプレー部１３０が液晶方式である場合、ディスプレー部１３０は液晶ディスプレーパネル（図示せず）と、これに光を供給するバックライトユニット（図示せず）と、パネル（図示せず）を駆動させるパネル駆動機板（図示せず）を含む。
【００２６】
使用者の入力部１４０は使用者の操作及び入力によって、既設定された多様な制御コマンド又は限定されない情報を制御部１６０に伝達する。使用者の入力部１４０はディスプレー装置１００外側に設置されたメニューキー（ｍｅｎｕ−ｋｅｙ）及び入力パネル（ｐａｎｅｌ）や、ディスプレー装置１００と分離離隔されたリモートコントローラ（ｒｅｍｏｔｅ  ｃｏｎｔｒｏｌｌｅｒ）に具現される。使用者の入力部１４０がリモートコントローラに具現される場合、使用者の入力部１４０が制御部１６０に使用者の入力を転送する方式には制限がなく、無線通信を使用することができる。無線通信は、赤外線通信、ＲＦ通信などを含む。この場合、ディスプレー装置１００は、図示されないが、使用者の入力部１４０から受信される使用者の入力に対応する信号を受信してこれを制御部１６０に伝達する通信モジュールを更に含むことができる。
【００２７】
又、リモートコントローラに具現された使用者の入力部１４０は使用者のタッチ入力を受信するタッチ感知センサーを含むことができる。使用者のタッチ入力は様々で、タップ（ｔａｐ）、タップより強くタッチするクリック（ｃｌｉｃｋ）、ダブルクリック、ドラック（ｄｒａｇ）、スライド、プリキング（ｆｌｉｃｋｉｎｇ）などすべて含む。
【００２８】
又、リモートコントローラに具現された使用者の入力部１４０はモーションセンサーが搭載されたポインティング装置を含むことができる。モーションセンサーはジャイロセンサー、角速度センサー、地磁気センサーを含む。リモートコントローラはモーションセンサーの感知結果に基づいてモーションの情報を算出して、これに対応するコマンドをディスプレー装置１００に転送する。
【００２９】
一方、使用者の入力部１４０はディスプレー部１３０に使用者が選択できるように表示されるＵＩ（Ｕｓｅｒ  Ｉｎｔｅｒｆａｃｅ，以下、ＧＵＩ（Ｇｒａｐｈｉｃ  Ｕｓｅｒ  Ｉｎｔｅｒｆａｃｅ）とも言う）を含むことができる。ここで、ディスプレー部１３０がタッチスクリーン（ｔｏｕｃｈ−ｓｃｒｅｅｎ）である場合、使用者の入力部１４０は使用者がディスプレー部１３０のＵＩをタッチして受信される使用者の入力に対応するコマンドを制御部１６０に伝達することもできる。
【００３０】
又、使用者はリモートコントローラに設けられた方向キー（４方向のボタン）、タッチ感知センサーなどを操作して、ディスプレー部１３０に表示されたＵＩを選択することができる。本発明の実施例では使用者が使用者の入力部１４０としてリモートコントローラを操作してディスプレー部１３０に表示されたＵＩを選択する実施例に関して説明する。しかし、本発明の思想がこれに限定されないので、リモートコントローラ外にも多様な使用者の入力による例示が適用されることができる。
【００３１】
貯蔵部１５０は制御部１６０の制御によって限定されないデータが貯蔵される。貯蔵部１５０はフラッシュメモリ（ｆｌａｓｈ−ｍｅｍｏｒｙ），ハードディスクドライブ（ｈａｒｄ−ｄｉｓｃ  ｄｒｉｖｅ）のような持久記憶媒体に具現される。貯蔵部１５０は制御部１６０によってアクセスされて、制御部１６０によるデータの読取／記録／修正／削除／更新などが遂行される。
【００３２】
貯蔵部１５０に貯蔵されるデータは、例えばディスプレー装置１００の駆動のためのオペレティングシステムを始め、このオペレティングシステム上で実行できる多様なアプリケーション、映像データ、付加データなどを含む。
【００３３】
制御部１６０はディスプレー装置１００の多様な構成に対する制御動作を遂行する。例えば、制御部１６０は映像処理部１２０が処理する映像処理プロセスの進行、使用者の入力部１４０からのコマンドに対する対応制御動作を遂行することで、ディスプレー装置１００の全体の動作を制御する。
【００３４】
具体的に、図２及び図３を参照すると、制御部１６０はディスプレー部１３０に使用者が選択できる複数の項目２１を表示して、使用者の入力部１４０から複数の項目２１の中第１項目２３を選択する使用者の入力を受信すると、入力の結果を表示する表示パネル２５が第１項目２３の辺りに表示されるようにディスプレー部１３０を制御する。
【００３５】
図２乃至図７はディスプレー部１３０に表示される画面２０を図示した図面である。
【００３６】
図２乃至図６に図示されたように、制御部１６０は複数の項目２１を含む画面２０を表示するようにディスプレー部１３０を制御することができる。ここで、複数の項目２１は使用者が選択できるＵＩとして、図２乃至図６に図示されたようにチャンネルの番号に対応する数字を含むが、本発明はこれに限定されないで、複数の項目２１は数字だけではなく文字、アイコン（グラフィック）など多様な形式のＵＩに具現されることができる。文字は国文。英文、漢字など多用な言語を含む。
【００３７】
又、本発明の実施例では複数の項目２１がディスプレー部１３０に表示される画面２０の外側例え、上側に横型に表示された実施例に関して説明するが、本発明の思想がこれに限定されないので、画面２０外側の横型、縦型、横と立ての組合など多様に表示されることができる。又、画面２０の外側だけではなく多様な位置に表示することができて、例え画面２０に複数の項目が円型又はグリッド型に配列されるように具現されることができる。
【００３８】
制御部１６０は複数の項目２１の中使用者の入力部１４０を通じて選択された項目つまり、図２の第１項目２３を強調して表示することができる。ここで、本発明の実施例では強調して表示するものとして、選択された項目をフォーカス処理する方式に関して説明したが、これに限定されないで、ポインター、カーソル、ハイライト、ブリンク処理などの多様な処理方式が適用されることができる。
【００３９】
本発明は図３のように、入力の結果を表示する表示パネル２５が使用者が選択した項目２３の辺りに表示されるようにすることで、使用者の視線を分散させないで、使用者の使用性及び便宜性が向上されることができる。ここで、表示パネル２５は使用者の入力の結果を表示する所定の形態のフィールド(例えば、入力フィールド)になれる。
【００４０】
図３のように表示パネル２５が第１項目２３の辺りに表示された状態で、使用者の入力部１４０から第１項目２３と他の第２項目２４を選択する使用者の入力を受信すると、制御部１６０は図４に図示されたように表示パネル２５が第２項目２４の辺りに移動して表示されるようにディスプレー部１３０を制御する。
【００４１】
ここで、制御部１６０は表示パネル２５に第１項目２３及び第２項目２４が組合された結果を表示するようにディスプレー部１３０を制御する。例えば図５に図示されたように、第１項目２３が数字５で、第２項目２４が数字７である場合、表示パネル２５にはこれを組合した５７が表示される。
【００４２】
本発明はこうして使用者の選択の項目が変更されると、変更された選択の項目２４の辺りに表示パネル２５を移動させて表示して、その結果を組合して表示するので、使用者の視線が分散させずに使用性及び便宜性を向上させることができる。
【００４３】
又、制御部１６０は図２及び図３のように第１項目２３の選択に対応は、第１項目２３を強調表示して、図４及び図５のように第２項目２４の選択に対応は、第１項目２３は強調表示せずに該当選択された第２項目２４を強調して表示するようにディスプレー部１３０を制御する。
【００４４】
本発明はこうして強調表示のためのフォーカスを使用者の選択によって移動して表示することで、使用者が現在選択された項目が何か楽に認知するようにできる。
【００４５】
図５のように表示パネル２５が第２項目２４の辺りに表示された状態で、使用者の入力部１４０から第１項目２３及び第２項目２４と他の第３項目２６を選択する使用者の入力を受信すると、制御部１６０は図６に図示されたように表示パネル２５が第３項目２６の辺りに移動して表示されるようにディスプレー部１３０を制御する。
【００４６】
ここで、第３項目２６が確認に対応する文字ＥＮＴＥＲである場合、制御部１６０はチャンネル選局のための数字入力がすべて完了されたと判断して、図７に図示されたように選択されたチャンネルに対応する映像信号を受信するように映像受信部１１０を制御して、受信された映像信号を処理するように映像処理部１２０を制御して、処理された映像信号に対応する映像を表示するようにディスプレー部１３０を制御する。制御部１６０は選局されたチャンネルの番号を表示するアイコン２７を更に表示するようにディスプレー部１３０を制御することができる。
【００４７】
一方、制御部１６０は使用者がチャンネルの番号の入力後ＥＮＴＥＲに対応する第３項目２６を選択しなくても、所定の時間が経過すると自動に該当のチャンネルを選局して、映像を受信、処理及び表示するように制御することができる。
【００４８】
以下、本実施例によるディスプレー装置１００の制御方法に関して図面を参照して説明する。
【００４９】
図８は本発明の実施例によるディスプレー装置１００の制御方法を図示した流れ図である。図８に図示されたように、ディスプレー装置１００はディスプレー部１３０に使用者が選択できる複数の項目２１つまり、ＵＩを表示するＳ３０１。
【００５０】
使用者はリモートコントローラのような使用者の入力部１４０を操作して段階Ｓ３０１に表示された複数の項目２１の中で第１項目２３を選択するＳ３０３。
【００５１】
制御部１６０は段階Ｓ３０３で選択された第１項目２３の辺りに入力の結果を表示する表示パネル２５を表示するようにディスプレー部１３０を制御するＳ３０５。ここで、制御部１６０は選択された第１項目２３をフォーカスのような方式に強調して表示するようにディスプレー部１３０を制御することができる。
【００５２】
次に、使用者は使用者の入力部１４０を操作して第１項目２３と他の第２項目２４を選択することができるＳ３０７。ここで、使用者はリモートコントローラに設けられた方向キーなどを操作して選択の項目を移動させ第２項目２４を選択することができて、制御部１６０は選択の項目の移動によってフォーカスを移動して表示するようにディスプレー部１３０を制御する。これに、第１項目２３は強調して表示せずに、第２項目２５は強調して表示される。
【００５３】
制御部１６０は段階Ｓ３０７で選択された第２項目２４の辺りへ表示パネル２５を移動させて表示するようにディスプレー部１３０を制御するＳ３０９。ここで、表示パネル２５は第１項目２３と第２項目２４が組合された結果を表示する。
【００５４】
そして、制御部１６０は段階Ｓ３０３及びＳ３１１の入力結果に対応する映像を表示するようにディスプレー部１３０を制御するＳ３１１。例えば、入力の結果が所定チャンネルの番号である場合、制御部１６０は該当チャンネルの番号に対応する映像を受信、処理及び表示するように映像受信部１１０、映像処理部１２０及びディスプレー部１３０を制御することになる。
【００５５】
このように、本発明の実施例によると、入力の結果を表示する表示パネル２５が使用者が選択した項目２３、２４の辺りに表示されるようにして、使用者の選択の項目が変更されると変更された選択の項目２４の辺りへ表示パネル２５を移動させ表示して、入力の結果を組合して表示することで、使用者の視線の分散を最小化して、使用者の使用性及び便宜性が向上させることができる。
【００５６】
又、本発明はこのような強調表示のためのフォーカスを使用者の選択によって移動して表示することで、使用者が現在選択された項目が何か楽に認知するようにできる。
【００５７】
前記開始された好ましい実施例は、ディスプレー装置１００と関連されるが、本発明はこれに限定されることではない。例えば、一つ以上の他の実施例はセットタップボックス、独立形（ｓｔａｎｄ−ａｌｏｎｅ）制御装置、オーディオ／ビデオ受信機、光メディア・プレーヤー、映像供給源などのイメージ処理装置と関連されることができる。
【００５８】
本発明の多様な実施例はコンピュータで読めることができる記録媒体上にコンピュータで読めることができるコードとして実施されることができる。コンピュータで読めることができる媒体はコンピュータシステムによって読めることができるデータを貯蔵するデータ貯蔵装置である。コンピュータで読める記録媒体の例はＲＯＭ，ＲＡＭｓ，ＣＤ−ＲＯＭｓ，マグネチックテープ（ｍａｇｎｅｔｉｃ  ｔａｐｅｓ）、フロッピー（登録商標）ディスク及び光データ貯蔵装置（ｏｐｔｉｃａｌ  ｄａｔａ  ｓｔｏｒａｇｅ  ｄｅｖｉｃｅｓ）を含む。コンピュータで読めることができる記録媒体はコンピュータで読めることができるコードが分散システムで貯蔵及び実行されるようにネットワーク連結されたコンピュータシステムに具現されることができる。又、好ましい実施例は搬送波（ｃａｒｒｉｅｒ  ｗａｖｅ）のようにコンピュータで読めることができる転送媒体を通じて送受信されてプログラムを実行する一般的な使用又、特別な目的のデジタルコンピュータで使用されるコンピュータプログラムに記録されることができる。また、前記装置の一つ以上の構成はコンピュータで読めることができる記録媒体に貯蔵されたコンピュータプログラムを実行するプロセス又はマイクロプロセスを含むことができる。
【００５９】
以上、好ましい実施例を通じて本発明に関して詳しく説明したが、本発明はこれに限定されることではなく特許請求範囲の内で多様に実施されることができる。
【符号の説明】
【００６０】
１００  ディスプレー装置
１１０  映像受信部
１２０  映像処理部
１３０  ディスプレー部
１４０  使用者の入力部
１５０  貯蔵部
１６０  制御部
【図１】
2013143140.tif 000003
【図２】
2013143140.tif 000004
【図３】
2013143140.tif 000005
【図４】
2013143140.tif 000006
【図５】
2013143140.tif 000007
【図６】
2013143140.tif 000008
【図７】
2013143140.tif 000009
【図８】
2013143140.tif 000010